(57)【要約】【課題】ソケットの端子孔部に対する蛍光灯の端子ピンの差し込みを容易に行なえるとともに、ソケットに支持された蛍光灯の安定感を向上させるようにした蛍光灯取り付け用ホルダーを提供する。【解決手段】蛍光灯とほぼ同長さの長尺状のホルダー本体１と、このホルダー本体１の長さ方向両端にねじ止めによりホルダー本体１に対し取付角が９０度未満となるように取り付けられた板ばねからなる蛍光灯支持板５と、この蛍光灯支持板５の先端内側に取り付けられた蛍光灯支持用のソケット６とを備え、このソケット６は先端部において先端側ほど肉薄となるように傾斜していて、この傾斜部７と非傾斜部８との境目近傍の非傾斜部８に蛍光灯の端子ピンを差し込むための端子孔部１０が形成されている。【選択図】図１
0003152617.tif 000002
【実用新案登録請求の範囲】
【請求項１】
蛍光灯とほぼ同長さの長尺状のホルダー本体と、このホルダー本体の長さ方向両端にねじ止めによりホルダー本体に対し取付角が９０度未満となるように取り付けられた板ばねからなる蛍光灯支持板と、この蛍光灯支持板の先端内側に取り付けられた蛍光灯支持用のソケットとを備え、このソケットは先端部において先端側ほど肉薄となるように傾斜していて、この傾斜部と非傾斜部との境目近傍の非傾斜部に蛍光灯の端子ピンを差し込むための端子孔部が形成されていることを特徴とする蛍光灯取り付け用ホルダー。
【請求項２】
ソケットの先端部の傾斜部に非傾斜部側に向って伸びる深さの浅い端子ピン案内用の凹部が２つの端子孔部に対してそれぞれ形成されていることを特徴とする請求項１記載の蛍光灯取り付け用ホルダー。
【考案の詳細な説明】
【技術分野】
【０００１】
本考案は、例えば照明看板などに使用される蛍光灯取り付け用ホルダーに関するものである。
【背景技術】
【０００２】
従来の蛍光灯取り付け用ホルダーとしては、例えば特許文献１に開示されているように、蛍光灯とほぼ同長さのホルダーの端部がほぼ直角に折り曲げられ、この折り曲げ片の内側に蛍光灯の端部を支持するソケットが設けられたものが知られている。
【先行技術文献】
【特許文献】
【０００３】
【特許文献１】実用新案登録第３０１２１３６号公報
【考案の概要】
【考案が解決しようとする課題】
【０００４】
上記特許文献１に開示されているホルダーの端部にはほぼ直角に折り曲げられた折り曲げ片を備え、この折り曲げ片の内側に蛍光灯の端部を支持するソケットが設けられていて、蛍光灯の端部の端子ピンをソケットの端子孔部に差し込むようになっているが、折り曲げ片がホルダーの端部からほぼ直角に折り曲げられた状態にあることにより、ソケットに支持された蛍光灯の安定感に劣るという問題、ソケットの厚みが全体に亘って同じに作られていることから蛍光灯の端子ピンをソケットの端子孔部に差し込みにくいという問題があった。
【０００５】
本考案の目的は、このような課題を解決するものであり、ソケットの端子孔部に対する蛍光灯の端子ピンの差し込みを容易に行なえるとともに、ソケットに支持された蛍光灯の安定感を向上させるようにした蛍光灯取り付け用ホルダーを提供することにある。
【課題を解決するための手段】
【０００６】
本考案の請求項１に記載の蛍光灯取り付け用ホルダーは、蛍光灯とほぼ同長さの長尺状のホルダー本体と、このホルダー本体の長さ方向両端にねじ止めによりホルダー本体に対し取付角が９０度未満となるように取り付けられた板ばねからなる蛍光灯支持板と、この蛍光灯支持板の先端内側に取り付けられた蛍光灯支持用のソケットとを備え、このソケットは先端部において先端側ほど肉薄となるように傾斜していて、この傾斜部と非傾斜部との境目近傍の非傾斜部に蛍光灯の端子ピンを差し込むための２つの端子孔部が形成されていることを特徴とする。
【０００７】
請求項２に記載の蛍光灯取り付け用ホルダーは、ソケットの先端部の傾斜部に非傾斜部側に向って伸びる深さの浅い端子ピン案内用の凹部が２つの端子孔部に対してそれぞれ形成されていることを特徴とする。
【考案の効果】
【０００８】
以上のように、本考案の蛍光灯取り付け用ホルダーは、板ばねからなる蛍光灯支持板がホルダー本体に対し９０度未満の取付角で設けられていることにより蛍光灯をばね性を持って衝撃や振動に強く安定良く支持することができ、しかもソケットは先端部において先端側が肉薄となるように傾斜していて、この傾斜部と非傾斜部との境目近傍の非傾斜部に蛍光灯の端子ピンを差し込むための端子孔部が形成されていることから、端子孔部に対する蛍光灯の端子ピンの差し込みや取り外しが容易に行なえる。さらに、ソケットの先端部の傾斜部に非傾斜部側に向って伸びる深さの浅い端子ピン案内用の凹部が２つの端子孔部に対してそれぞれ形成されていることにより、蛍光灯の端子ピンを端子孔部に差し込むとき、端子ピンの先端を凹部の底部に当てた状態で端子ピンを端子孔部側に移動させることにより端子ピンを端子孔部に、より一層容易に差し込むことができる。
【図面の簡単な説明】
【０００９】
【図１】本考案の第１の実施の形態における蛍光灯取り付け用ホルダーの斜視図である。
【図２】同蛍光灯取り付け用ホルダーの側面図である。
【図３】同蛍光灯取り付け用ホルダーの要部拡大斜視図である。
【図４】同蛍光灯取り付け用ホルダーにグロー球および蛍光灯を取り付けた状態を示す斜視図である。
【図５】本考案の第２の実施の形態における蛍光灯取り付け用ホルダーの要部拡大斜視図である。
【考案を実施するための形態】
【００１０】
以下、本考案の実施の形態を、図面を用いて具体的に説明する。
先ず、図１〜図４に示す第１の実施の形態について説明すると、１は薄い鉄板からなる蛍光灯とほぼ同長さの長尺状のホルダー本体で、断面形状が凵状に作られている。そして、このホルダー本体１には安定器２、コンデンサー３、グローソケット４がそれぞれ取り付けられている。５はホルダー本体１の長さ方向両端にねじ止めにより取り付けられた板ばねからなる蛍光灯支持板で、この蛍光灯支持板５はホルダー本体１に対し取付角が９０度未満となるように取り付けられている。６は蛍光灯支持板５の先端内側に取り付けられた蛍光灯支持用のソケットで、このソケット６は先端部において先端側ほど肉薄となるように傾斜しており、この傾斜部７と非傾斜部８との境目近傍の非傾斜部８に蛍光灯９の２本の端子ピン（図示せず）を差し込むための２つの端子孔部１０が形成されている。なお、１１はホルダー本体１の長さ方向両端近傍に装着されている絶縁ブッシュである。
【００１１】
上記構成の蛍光灯取り付け用ホルダーは照明看板などに取り付けられて使用され、前記グローソケット４にはグロー球１２が取り付けられ、また両側のソケット６の端子孔部１０には蛍光灯９の端子ピンが差し込まれて蛍光灯９が取り付けられる。この両側のソケット６の端子孔部１０に蛍光灯９の端子ピンが差し込んで蛍光灯９が取り付けるとき、板ばねからなる蛍光灯支持板５がホルダー本体１に対し９０度未満の取付角で設けられていることにより蛍光灯９をばね性を持って衝撃や振動に強く安定良く支持することができ、しかもソケット６は先端部において先端側が肉薄となるように傾斜していて、この傾斜部７と非傾斜部８との境目近傍の非傾斜部８に蛍光灯９の端子ピンを差し込むための端子孔部１０が形成されていることから、端子孔部１０に蛍光灯９の端子ピンを差し込む際、端子ピンを傾斜部７に沿わせて移動させることにより端子ピンは端子孔部１０に嵌り易くなり、端子孔部１０に対する蛍光灯９の端子ピンの差し込みを容易に行なえるものである。また、逆に端子孔部１０に対する蛍光灯９の端子ピンの取り外しも容易に行なえるものである。
【００１２】
次に、図５に示す第２の実施の形態について説明すると、この実施の形態はソケット６の先端部の傾斜部７において最も肉薄となっている先端側より非傾斜部８側に向って伸びる深さの浅い端子ピン案内用の凹部１３が２つの端子孔部１０に対してそれぞれ形成されている。詳しくは、前記凹部１３は傾斜部７において最も肉薄となっている先端側より端子孔部１０に向って幅が狭くなるように形成されている。このような構成により、蛍光灯９の端子ピンを端子孔部１０に差し込むとき、端子ピンの先端を凹部１３の底部に当てた状態で端子ピンを端子孔部１０側に移動させることにより端子ピンを端子孔部１０に、より一層容易に差し込むことができる。
【産業上の利用可能性】
【００１３】
本考案の蛍光灯取り付け用ホルダーは、例えば照明看板などに使用される蛍光灯取り付け用ホルダーである。
【符号の説明】
【００１４】
１    ホルダー本体
２    安定器
３    コンデンサー
４    グローソケット
５    蛍光灯支持板
６    ソケット
７    傾斜部
８    非傾斜部
９    蛍光灯
１０    端子孔部
１１    絶縁ブッシュ
１２    グロー球
１３    凹部
【図１】
0003152617.tif 000003
【図２】
0003152617.tif 000004
【図３】
0003152617.tif 000005
【図４】
0003152617.tif 000006
【図５】
0003152617.tif 000007